(57)【要約】【課題】処理時間が長くなるのを防止しつつ、画像データを絞り込む作業を簡略化することができる注文装置を提供する。【解決手段】絞込み開始部２２７が、入力された画像データの数又はデータ量が所定の閾値未満の場合にのみ、顧客の操作に基づいて、それらの画像データの中から一部の画像データを絞り込む処理（絞込み検索部２２３による処理）を開始させる。これにより、画像データを絞り込む処理の処理時間が長くなるのを防止することができるとともに、当該処理が行われた場合には、入力された画像データが自動的に絞り込まれることにより、画像データを１つずつ選択するような構成と比較して、画像データを絞り込む作業を簡略化することができる。【選択図】図２
2010231438.tif 000002
【特許請求の範囲】
【請求項１】
画像データに基づく写真プリント注文を受け付ける注文装置であって、
入力された画像データのそれぞれにおける絵柄の内容又は構図から抽出される要素に基づいて、各画像データの判定を行う画像判定手段と、
前記画像判定手段による判定結果に基づいて、入力された画像データの中から一部の画像データを絞り込む画像絞込み手段と、
前記入力された画像データの数又はデータ量が所定の閾値未満の場合にのみ、顧客の操作に基づいて、前記画像絞込み手段による処理を開始させる絞込み開始手段とを備えたことを特徴とする注文装置。
【請求項２】
前記入力された画像データの数又はデータ量が所定の閾値未満の場合にのみ、顧客が指示するための所定のキーを画面に表示させる表示手段を備え、
前記絞込み開始手段が、顧客による前記所定のキーの指示に基づいて、前記画像絞込み手段による処理を開始させることを特徴とする請求項１に記載の注文装置。
【請求項３】
顧客が指示するための所定のキーを画面に表示させる表示手段を備え、
前記絞込み開始手段が、顧客による前記所定のキーの指示に基づいて、前記入力された画像データの数又はデータ量が所定の閾値未満の場合にのみ、前記画像絞込み手段による処理を開始させることを特徴とする請求項１に記載の注文装置。
【請求項４】
複数種のサービス内容のそれぞれに応じた注文処理を実行する複数種のサービス処理手段と、
前記複数種のサービス処理手段による複数種の注文処理に共通に用いられる基本処理を実行する基本処理手段とを備え、
前記画像絞込み手段による処理が、前記基本処理手段の機能によって実行されることを特徴とする請求項１〜３のいずれかに記載の注文装置。
【請求項５】
入力された画像データのそれぞれにおける絵柄の内容又は構図から抽出される要素には、当該画像データに含まれる人物画像から抽出される要素が含まれることを特徴とする請求項１〜４のいずれかに記載の注文装置。
【請求項６】
前記人物画像から抽出される要素には、撮影された人物の顔の大きさに関する要素、撮影された人物の数に関する要素、撮影された人物の笑顔度に関する要素、撮影された人物の年齢に関する要素、撮影された人物の目の開閉に関する要素、撮影された人物の顔の露出に関する要素、撮影された人物に対するピントに関する要素、及び、撮影された人物の画像データ上での構図に関する要素のうち少なくとも１つの要素が含まれることを特徴とする請求項５に記載の注文装置。
【発明の詳細な説明】
【技術分野】
【０００１】
本発明は、顧客による写真の注文操作に用いられる注文装置に関する。
【背景技術】
【０００２】
写真店（ミニラボ店とも称される。）では、顧客がデジタル画像データを持ち込み、店内に設置された注文装置で顧客自らが写真プリントの注文を行なえる。この注文装置として、例えば、特許文献１が知られている。
【０００３】
特許文献１の受付装置における注文操作は、先ず、デジタル画像データが記憶されたメディアからデジタル画像データを読み込み、コマ画像として表示させ、次いで、プリント対象を選択し、プリント枚数、プリントサイズ、所定の補正処理等を選択し、注文を確定する流れである。
【先行技術文献】
【特許文献】
【０００４】
【特許文献１】特開２００６−１０３１００号公報
【発明の概要】
【発明が解決しようとする課題】
【０００５】
上記のようにメディアから読み込まれて注文装置に入力される画像データの中から、顧客が所望の画像データを１つずつ選択する場合には、その選択に時間がかかり、作業が煩雑になるといった問題がある。特に、写真店などの店舗に設置された注文装置において上記のような作業を行う場合には、注文装置の占有時間が長くなり、顧客の回転率が悪くなるといった問題がある。
【０００６】
本願出願人は、先の出願（特願２００８−２３２３７８）において、各画像データ（アルバム用画像データ）から抽出される要素に基づいて、各画像データの採点を行い、その採点結果に基づいて、アルバムの各ページに割り当てる画像データを自動的に選択することができる技術を提案した。
【０００７】
このような技術を用いれば、注文装置に入力される画像データの中から、一部の画像データを自動的に選択することができるので、画像データを絞り込む作業を簡略化することができる。しかしながら、各画像データにおける絵柄の内容又は構図から抽出される要素に基づく処理には、比較的長い処理時間がかかり、その処理時間は例えば１枚当たり３００ｍｓ程度である。当該処理時間は、各画像データのデータ量が多いほど長くなる傾向がある。
【０００８】
そのため、注文装置に入力される画像データの数又はデータ量が多い場合には、それらの画像データにおける絵柄の内容又は構図から抽出される要素に基づく処理が長くなることにより、かえって注文装置の占有時間が長くなり、顧客の回転率が悪くなるおそれがある。また、入力された画像データにおける絵柄の内容又は構図から抽出される要素に基づく処理が長くなることにより、顧客にストレスを与えることにもなる。
【０００９】
本発明は、上記実情に鑑みてなされたものであり、その目的は、処理時間が長くなるのを防止しつつ、画像データを絞り込む作業を簡略化することができる注文装置を提供することにある。
【課題を解決するための手段】
【００１０】
上記課題を解決するため本発明に係る注文装置は、画像データに基づく写真プリント注文を受け付ける注文装置であって、入力された画像データのそれぞれにおける絵柄の内容又は構図から抽出される要素に基づいて、各画像データの判定を行う画像判定手段と、前記画像判定手段による判定結果に基づいて、入力された画像データの中から一部の画像データを絞り込む画像絞込み手段と、前記入力された画像データの数又はデータ量が所定の閾値未満の場合にのみ、顧客の操作に基づいて、前記画像絞込み手段による処理を開始させる絞込み開始手段とを備える。
【００１１】
このような構成によれば、入力された画像データの数又はデータ量が所定の閾値未満の場合にのみ、顧客の操作に基づいて、それらの画像データの中から一部の画像データを絞り込む処理が開始される。すなわち、入力された画像データの数又はデータ量が上記所定の閾値以上であり、それらの画像データにおける絵柄の内容又は構図から抽出される要素に基づく判定処理が長くなる場合には、画像データを絞り込む処理が開始されないようになっている。
【００１２】
これにより、画像データを絞り込む処理の処理時間が長くなるのを防止することができるとともに、当該処理が行われた場合には、入力された画像データが自動的に絞り込まれることにより、画像データを１つずつ選択するような構成と比較して、画像データを絞り込む作業を簡略化することができる。
【００１３】
上記注文装置は、前記入力された画像データの数又はデータ量が所定の閾値未満の場合にのみ、顧客が指示するための所定のキーを画面に表示させる表示手段を備え、前記絞込み開始手段が、顧客による前記所定のキーの指示に基づいて、前記画像絞込み手段による処理を開始させるような構成であってもよい。また、上記注文装置は、顧客が指示するための所定のキーを画面に表示させる表示手段を備え、前記絞込み開始手段が、顧客による前記所定のキーの指示に基づいて、前記入力された画像データの数又はデータ量が所定の閾値未満の場合にのみ、前記画像絞込み手段による処理を開始させるような構成であってもよい。これらの構成によれば、画像データを絞り込む作業を行う際の操作性を向上することができる。
【００１４】
上記注文装置は、複数種のサービス内容のそれぞれに応じた注文処理を実行する複数種のサービス処理手段と、前記複数種のサービス処理手段による複数種の注文処理に共通に用いられる基本処理を実行する基本処理手段とを備え、前記画像絞込み手段による処理が、前記基本処理手段の機能によって実行されることが好ましい。
【００１５】
このような構成によれば、注文装置は、基本処理手段と複数種のサービス処理手段とを有している。サービス処理手段は、サービス内容に応じた注文処理を実行する機能であり、例えば、普通プリント、アルバムプリント、コラージュプリント、シャッフルプリント、名刺プリント、はがきプリント、各種サイズによるコレクションプリント、写真集、各種記憶媒体への書き込み処理単位に構成される。サービス処理手段のそれぞれは、その他のサービス処理手段と独立して機能し、任意のサービス処理手段の変更が、その他のサービス処理手段に影響を与えることがないように構成されている。サービス処理手段は、例えば、画像処理部、制御部、ＧＵＩ等の機能を有する。それぞれのサービス処理手段に画像処理部を設けておくことで、サービス処理手段ごとに、画像処理部のバージョン、設定値等が異なるように構成できるため、サービス毎に最適の画像処理アプリケーションのバージョン、設定値等を用いることができる。
【００１６】
基本処理手段は、複数種の注文処理に共通に用いられる基本処理を実行することができる。基本処理は、例えば、記憶媒体からの画像データ読み取り処理、注文確定・蓄積処理（以下では「カート」と称することがある）の管理、プリンタの操作処理、各種データ転送処理が挙げられる。
【００１７】
また、基本処理手段とサービス処理手段とが共有で使用し、かつサービス処理手段の独立性を低下させないような機能や処理は、共有ライブラリ手段の機能として備える構成がある。なお、共有ライブラリ手段に画像処理部の機能を設ける場合には、サービス処理手段に画像処理部を設けなくてもよい場合がある。
【００１８】
また、基本処理手段、サービス処理手段、共有ライブラリ手段の情報伝達（例えば、データ、機能の呼び出し）は、例えば、以下のように定義されてもよい。（１）共有ライブラリ手段との情報伝達は、基本処理手段、サービス処理手段共に自由にできる。（２）基本処理手段とサービス処理手段の情報伝達は自由にできる。（３）サービス処理手段間の情報伝達は禁止する。これによりサービス処理手段間の依存性をなくし、任意のサービス処理手段の変更がその他のサービス処理手段に影響を与えないようにでき、個々のサービス処理手段の追加、変更、削除を自由に行える。（４）基本処理手段を経由したサービス処理手段間の情報伝達を可能に設定するオプションを有する。
【００１９】
また、基本処理手段は、例えば基本ＧＵＩ部と基本制御部とを有する。比較的変更が多い「見た目」の部分（注文操作画面等の表示される処理部分）と、比較的変更が少ない「見た目以外」の部分を分離して構築し、頻繁に発生する見た目の変化による影響を局所化できる効果がある。サービス処理手段も同様に、例えばサービスＧＵＩ部とサービス制御部とを有する。
【００２０】
基本処理手段とサービス処理手段との情報伝達は、インターフェースによって行うことができる。サービス処理手段の追加、削除が他のサービス処理手段へ与える影響を無くすために、所定の規則に従ったインターフェースが構築されていることが好ましい。
【００２１】
上記注文装置は、入力された画像データのそれぞれにおける絵柄の内容又は構図から抽出される要素には、当該画像データに含まれる人物画像から抽出される要素が含まれることが好ましい。
【００２２】
このような構成によれば、撮影された人物画像から抽出される要素に基づいて、入力された画像データの中から一部の画像データを自動的に絞り込むことができる。したがって、撮影された人物画像に着目した写真プリント注文を容易に行うことができる。
【００２３】
上記注文装置は、前記人物画像から抽出される要素には、撮影された人物の顔の大きさに関する要素、撮影された人物の数に関する要素、撮影された人物の笑顔度に関する要素、撮影された人物の年齢に関する要素、撮影された人物の目の開閉に関する要素、撮影された人物の顔の露出に関する要素、撮影された人物に対するピントに関する要素、及び、撮影された人物の画像データ上での構図に関する要素のうち少なくとも１つの要素が含まれることが好ましい。
【００２４】
このような構成によれば、各要素に基づいて画像データを絞り込むことにより、撮影された人物画像に着目した写真プリント注文をより好適に行うことができる。
【図面の簡単な説明】
【００２５】
【図１】写真処理システムの一例について説明するための図
【図２】注文装置の機能構成について説明するための図
【図３】注文操作のフローチャート
【図４】注文操作画面の一例について説明するための図
【図５】注文操作画面の一例について説明するための図
【図６】注文操作画面の一例について説明するための図
【図７】注文操作画面の一例について説明するための図
【図８】注文操作画面の一例について説明するための図
【図９】注文操作画面の一例について説明するための図
【図１０】注文操作画面の一例について説明するための図
【図１１】注文操作画面の一例について説明するための図
【図１２】注文操作画面の一例について説明するための図
【図１３】注文操作画面の一例について説明するための図
【図１４】注文操作画面の一例について説明するための図
【図１５】注文操作画面の一例について説明するための図
【図１６】別実施形態の注文操作画面の一例について説明するための図
【図１７】別実施形態の注文操作画面の一例について説明するための図
【図１８】「ベストショット」の絞り込み条件が指示された場合の絞込み検索部による処理の一例を示したフローチャート
【図１９】絞込み開始部が絞込み検索部による「ベストショット」に対応する処理を開始させる際の態様の一例を示したフローチャート
【図２０】絞込み開始部が絞込み検索部による「ベストショット」に対応する処理を開始させる際の態様の他の例を示したフローチャート
【発明を実施するための形態】
【００２６】
本発明に係る注文装置の好適な実施形態を、図面を用いて説明する。図１は、写真店に設置される写真処理システムの構成の一例を示している。プリンタの種類、設置台数は図１に限定されない。また、画像処理装置５、プリント注文受付のための注文装置１の設置台数も図１に限定されない。写真処理システムを構成するそれぞれの装置はお互いがＬＡＮ等のネットワークによって接続されている。
【００２７】
＜システムの構成＞
この写真処理システムは、写真プリントの作成や記憶媒体への画像書き込みといった画像記録を行うためのシステムである。写真プリントの注文に係る画像データは、顧客が自ら持参した記憶媒体（以下ではメディアと称する）に記録されている。顧客は、注文装置１を操作し、メディアに記録された画像データに基づく写真プリントの注文を行なえる。また、注文に係る画像データは、ネガフィルムからスキャナー（不図示）を用いて読みとることもできる。また、注文者が自宅のＰＣや携帯端末からインターネットを経由し、写真店のサーバにアクセスし注文する、いわゆるオンラインプリント注文も可能である。オンラインプリント注文は公知の構成であり詳細な説明は省略する。
【００２８】
銀塩式プリンタは、画像データに基づいて写真プリントの作成を行える。写真プリントの作成を行う場合は、プリント用に処理されたプリント用画像データを露光エンジンに送信し、ペーパー等の写真感光材料に画像を焼付露光する。画像が焼付露光されたペーパーを現像処理することで、写真プリントを作成することができる。
【００２９】
インクジェットプリンタは、各種データ通信のための通信部を備え、この通信部は、画像処理装置５からプリント用画像データを受信し、メモリに保存する。また、インクジェットプリンタは、ＲＩＰ処理部を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。そして、印刷部は、ＣＭＹＫごとのグレースケールデータに基づいて印刷処理する。印刷部は、ＣＭＹＫのそれぞれのプリントヘッドを備えている。プリントヘッドは、間欠搬送される用紙に対し、プリントヘッドが主走査方向に一走査し、この走査時に、各色のインク吐出ノズルからインクが吐出し、用紙の表面に付着する。この間欠搬送、主走査動作およびインク吐出動作を繰り返すことで、用紙の印刷領域に画像が形成される。インク吐出の方法としては、インクが充填された圧力室内の容積がピエゾ素子によって変化することで、圧力室に連通するインク吐出ノズルからインクを吐出する一般的なピエゾ方式が例示される。
【００３０】
また、不図示の媒体書き込み装置は、ＣＤ−Ｒ（記憶媒体の一例）等のメディアに画像データの書き込みを行う機能を有する。画像処理装置５から画像データを媒体書き込み装置に送信することで、ＣＤ−Ｒ等のメディアに画像データを書き込むことができる。
【００３１】
（注文装置）
注文装置１は、顧客により操作されるものであり、画像データの受付と注文内容の設定等を行うことができる。注文装置１は、それ自身が画像形成プリンタの機能を有していてもよい。例えば、熱昇華型のプリンタを内蔵している。この場合、ネットワークに接続された他の装置と関係なく、独立してプリント処理を行うこともできる。注文装置１は、画像形成用のプリンタを内蔵していない場合、あるいは他のプリンタで写真プリント（またはメディアへの書込み処理）をする場合には、ネットワーク経由で画像処理装置５あるいは直接にプリンタ側にプリント対象の画像データを転送する。画像処理装置５については後述する。
【００３２】
注文装置１は、メディア駆動部１０を備えており、各種メディアＡに格納されている画像データを内部に取り込むことができる。メディアＡとしては、ＣＤ−Ｒ、デジタルカメラ用の記憶メディア、ＭＯディスクなどが例としてあげられる。また、フラットベッドスキャナー（不図示）により、写真フィルムのない写真プリントから画像データを取得することができる。また、注文装置１は、モニター１２を備えており、入力された画像データを画面に表示させることができる。また、注文内容の設定などは、モニター画面に設けられたタッチパネル１３により行うことができる。もちろん、キーボードやマウスなどの入力手段を設けてもよい。
【００３３】
注文装置１は、受付証発行部１１を備えており、注文内容が確定すると、受付証をプリントアウトする。受付証には、注文内容、課金情報、顧客情報などがプリントされる。この受付証を写真店の担当者に渡すことで、画像記録や料金支払いなどが行われる。
【００３４】
注文装置１の構成を図２の機能ブロック図により説明する。注文装置１は、システムＣを備えており、各種ハードウェアとはインターフェースを介して接続される。すなわち、メディア駆動部１０、受付証発行部１１、モニター１２、タッチパネル１３、ハードディスク１４がインターフェースを介して接続される。ハードディスク１４は、メディア駆動部１０を介して取得した画像データを一時的に保存することができる機能を有してしいる。また、ハードディスク１４に、オーダー情報を保存しておくこともできる。ハードディスク１４は、大容量保存手段としての機能の他にＣＰＵ実行の際の作業領域として機能してもよい。また、システムＣ側には不図示のＣＰＵまたはＭＰＵ、メモリ（ＲＯＭ、ＲＡＭ等）が具備されている。
【００３５】
インクジェットプリンタにより写真プリントの作成を行う場合は、適宜のタイミングで画像データを含む注文に関するオーダー情報のデータを、ネットワーク・インターフェース１５を介してネットワークへ送出し、画像処理装置５または直接に各種プリンタに送信する構成である。
【００３６】
基本処理手段２０は、複数種の注文処理に共通に用いられる基本処理を実行する機能である。基本処理は、例えば、記憶媒体からの画像データ読み取り処理、カートの管理、プリンタの操作処理、各種データ転送処理が挙げられる。基本処理手段２０は、例えば、基本制御部２２、基本ＧＵＩ部２１の機能を有する。
【００３７】
基本処理手段２０の基本制御部２２の機能について以下に説明する。メディアから画像データを読み込む処理は、サービス処理手段４０、５０、６０による注文処理手順に依存せずに、または注文処理操作中いつでも実行できる。検知部２２１は、メディアＡがメディア駆動部１０に挿入されたことを示す信号を検知する。これによって、読取制御部２２２は、メディアＡに記録されている画像データを読み取る。読み込まれた画像データはハードディスク１４に保存される。画像データを読み取る場合に、Ｅｘｉｆ情報中のサムネイル画像データを読み込むように構成でき、また、読み込まれた画像データのサムネイル画像を表示するように構成できる。
【００３８】
読み込まれた画像データは、基本ＧＵＩ部２１の画像一覧表示部２１１の機能によって、モニター１２の画面に表示される。この画像一覧表示部２１１は、写真プリント注文の対象となる画像データを一覧表示する画像データ一覧表示手段であり、メディアＡやインターネットなどを介して入力される画像データをモニター１２に表示する。その表示の一例として図１５、１６が例示される。図１５は、モニター１２の画面に一覧表示される例を示し、図１６は、画面の表示領域を分割して、分割された下部に表示される例を示す。この画面の表示領域を分割して表示する機能は、後述するサービス処理手段４０、５０、６０のサービスＧＵＩ部４１の機能による。画像一覧表示部２１１の機能によりモニター１２に表示される画像データは、後述する絞込み検索部２２３の機能により絞り込むことができる。
【００３９】
注文一覧表示部２１２は、サービス処理手段４０、５０、６０により実行された複数種の注文処理に基づいて、各サービス内容に対応する写真プリント注文を一覧表示する注文一覧表示手段であり、この例では、図１４に示すような「カート」の態様で写真プリント注文を一覧表示することができるようになっている。この注文一覧表示部２１２による処理は、基本処理手段２０の機能によって実行される。
【００４０】
絞込み検索部２２３は、各種絞り込み条件１５０１に応じて画像データを絞り込む画像絞込み手段である。表示手段としてのモニター１２の画面には、各絞り込み条件１５０１に対応するキーが表示され、これらのキーのいずれかを顧客が指示することができるようになっている。画像判定部２２６は、各画像データの判定を行う画像判定手段であり、絞込み開始部２２７は、指示された絞り込み条件１５０１のキーに対応する絞込み検索部２２３による処理を開始させる絞込み開始手段である。これらの絞込み検索部２２３、画像判定部２２６及び絞込み開始部２２７などによる処理は、基本処理手段２０の機能によって実行される。
【００４１】
例えば、「全て」を指示（タッチ）し、「写真の絞り込み」１５０２を指示すれば、すべての画像が表示エリア１５０３に表示される。「撮影日」を指示すると、さらに絞り込み条件「昨日と今日」、「最近１週間」、「最近１ヶ月」等が表示され（不図示）、例えば「最近１週間」を指示し、「写真の絞り込み」１５０２を指示すれば、最近１週間の撮影日の画像のみが表示エリア１５０３に表示される。表示エリア１５０３の任意の画像を指示すれば（２重枠の１５０３ａ）、拡大画像が拡大表示エリア１５０４に表示される。「展開」ボタン１５０５を指示すれば、表示エリア１５０３に表示されている画像が、実行中のサービス処理手段４０、５０、６０の注文処理に、展開部２２４の機能によって反映される。その詳細は後述する。
【００４２】
オーダー情報送信部２２５は、複数種の注文処理に基づいて、各サービス内容に対応する写真プリント注文の内容を表すオーダー情報を一括して送信するオーダー情報送信手段である。具体的には、図１４に示すように注文一覧表示部２１２により写真プリント注文が一覧表示されたカート画面において、「注文確定」ボタン１４０８を指示することにより、一覧表示された写真プリント注文の内容を表すオーダー情報が一括して送信される。
【００４３】
サービス処理手段４０、５０、６０は、サービス内容に応じた注文処理を実行する機能であり、例えば、サービス処理手段４０は、名刺プリントの注文処理機能であり、サービス処理手段５０は、アルバムプリント、サービス処理手段６０は、コラージュプリントの注文処理機能として構成できる。他のサービスも任意に注文装置１に追加できる。
【００４４】
サービス処理手段４０を例にして説明する。サービス処理手段４０は、例えば、画像処理部（不図示）、サービス制御部４２、サービスＧＵＩ部４１の機能を有する。
【００４５】
サービス制御部４２の体験モード制御部４２１は、注文者の画像データを用いずに、サンプル画像データを用いて注文操作を体験できる機能である。初期設定として体験モードに設定されている。注文者は、自由なタイミングでメディアを挿入し、画像データを注文装置１に読み込ませ、サンプル画像データと入れ替えることができる。展開部２２４の機能によって、メディアから読み込まれて選択された画像データがサービス処理手段４０の注文操作に反映され、その画像データがサンプル画像データと入れ替わり、体験モードは終了する。
【００４６】
基本ＧＵＩ部２１、サービスＧＵＩ部４１は、モニター１２に表示させる注文処理操作の表示内容を制御し、注文受付操作を顧客が行い易いように、種々の操作に係る表示画面を提供する。操作画面のデータは不図示のメモリに保存されている。
【００４７】
共通ライブラリ手段３０は、基本処理手段２０とサービス処理手段４０、５０、６０が共有で使用し、かつサービス処理手段４０、５０、６０の独立性を低下させないような機能や処理を実行する機能である。
【００４８】
システムＣの各機能は、例えば、コンピュータプログラムとＣＰＵおよびメモリ等の協働作用により実現することができ、このプログラムは、不図示のＲＯＭに記憶されている。また、システムＣを専用回路、ファームウエア等で構成してもよく、それらの組み合わせ構成としてもよい。また、基本処理手段２０を専用回路、ファームウエア等で構成してもよく、サービス処理手段４０、５０、６０をコンピュータプログラムとＣＰＵおよびメモリ等の協働作用により実現してもよい。
【００４９】
（画像処理装置）
画像処理装置５は、オーダー単位に画像データを管理する機能を有している。また、オーダー単位に写真プリント処理、メディアへの書込み処理を制御する機能を有している。以下において、画像処理装置５の主要な構成要素の一例について説明するが、これに限定されない。
【００５０】
画像処理装置５は、不図示のオーダー情報保存手段を備え、オーダー情報を保存する機能を有している。また、画像処理装置５は、写真プリント注文に係る画像データやオーダー情報を管理制御するオーダー管理手段を備えている。オーダー管理手段は、プリント処理に関し、プリンタの設定、プリント順序等を設定できる。また、プリント順序に関し、モニターにオーダー情報を表示させ、プリント順序を変更する機能も有する。
【００５１】
オーダー情報保存手段は、後述するプレジャッジ処理されて設定された補正情報、画像データ、オーダー情報等を保存している。また、画像データは、補正情報に基づいて画像処理された後のデータでもよい。また、画像処理装置５は、各種操作画面を表示するためのモニター等の表示手段と、各種の入力用にキーボード、マウス等の入力手段を備える。
【００５２】
（ジャッジ処理）
ジャッジ手段は、画像データに対するプレジャッジ処理を実行する機能を有する。プレジャッジ処理において、所定数のコマ画像をモニターに表示し、コマ画像ごとにプリント条件を設定することができる。例えば、所定数（例えば、４コマ、６コマ）のコマ画像をモニターに表示し、表示されたコマ画像に対し、プリント枚数、プリントサイズ、画像の補正情報等のプリント条件を設定することができる。このプレジャッジ処理は必ず行なわなければならないものではなく、プレジャッジ処理を省略してプリント処理を行うことも可能である。注文装置１からのオーダー情報の画像データは、ジャッジ処理されてもよく、ジャッジ処理されなくてもよい。
【００５３】
ジャッジ手段は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。設定された補正情報は、画像データ、オーダー情報に関連づけられてオーダー情報保存手段に保存される。
【００５４】
プリント用画像データ作成手段は、ジャッジ手段で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成手段は、コンピュータプログラムと、ＣＰＵ、メモリ等ハードウェア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ側に通信手段によって送信される。
【００５５】
注文装置１から受信したオーダー情報の場合、ジャッジ処理されなくとも、プリント用画像データ作成手段によって、プリンタの種類に応じたプリント用画像データが作成される。なお、別実施形態として、注文装置１側から直接にプリンタ側にオーダー情報を送信し、プリンタ側で、プリント用画像データが作成されてもよい。
【００５６】
（体験モードの注文処理フロー）
次に、図３のフローチャート、図４〜１６の注文操作画面を用いて注文処理について説明する。
【００５７】
図４のサービス選択画面が表示される。これは基本処理手段２０の機能による（ステップＳ１）。注文者は「ＦＵ：ＤＡ  フーダ」ボタン４０１を指示（タッチ）し、「サービス開始」ボタン４０２を指示する。これによって、図５の「ＦＵ：ＤＡ  フーダ」サービスの詳細画面に移行し、「自分名刺」５０１のサービスを選択する（ステップＳ２）。不図示のサービス説明画面が表示され（ステップＳ３）、基本処理手段２０から該当するサービス処理手段４０へ、サービス起動指令がなされる（ステップＳ４）。なお、図４において「カートを確認」ボタン４０３を指示すると図１４に示すようなカート画面が表示され、サービス単位に注文された注文内容が一覧表示される。
【００５８】
サービス処理手段４０は、サービス操作画面の表示を実行する（ステップＳ５）。ここで注文操作は、体験モードに設定されている。図６に示すようなプリント編集画面等の操作画面が表示され、注文者による画面操作が行われる（ステップＳ６、ステップＳ１５）。この図６に示すようなプリント編集画面を用いた処理は、各サービス内容に対応する写真プリント注文の対象となる画像データを編集するためのプリント編集処理であり、サービス処理手段４０、５０、６０により実行される注文処理に含まれる。
【００５９】
６０１ａは名刺の表の編集エリアを示し、６０１ｂは名刺の裏の編集エリアを示す。それぞれのエリアを指示（タッチ）して前面・裏面を切り替えて編集することができる。６０４は、プリント条件を変更するためのボタンエリアを示し、例えば「レイアウト」ボタンを指示すれば、レイアウト編集画面が表示され、任意のレイアウトを選択し、編集エリア６０１ａ、６０１ｂの表示に反映させることができる。
【００６０】
６０２は画像表示エリアである。「流し込み」ボタン６０３を指示して、不図示のメモリからサンプル画像データを読み出し、図７に示すように画像表示エリア６０２に一覧表示させることができる。また、「流し込み」ボタン６０３を指示せずに、マニュアル選択によって、サンプル画像データから、ドラッグ＆ドロップによって画像表示エリア６０２に表示させることができる。図８に示すように、画像表示エリア６０２の左先頭画像が名刺編集エリア６０１ａ、６０１ｂに表示される。表示エリア６０５には、他の画像を用いた名刺が表示される。
【００６１】
名刺編集エリア中の６０１ｃを指示して、図９に示すように、名前、住所等の文字情報を入力することができる。図９に示す９０１は、その右の表示内容を表示するか非表示にするかを選択指示するためのボタンである。９０２によって文字フォントを選択でき、９０３によって文字色を選択でき、９０４によって左揃え、中央揃え、右揃えを選択できる。文字編集エリア９０５において、９０６によって文字サイズを選択でき、９０７によって太文字か否かを選択できる。例えば、「名前」を指示することで、文字入力画面が表示され文字入力可能に構成されている。「ＯＫ」ボタン９０８で編集終了し、図１０の画面に移行する。図１０の画面の「ＯＫ」ボタン１００１を指示すれば、図１１のプリント注文内容確認画面に移行する。
【００６２】
図１１の画面中央には、図１０において表示されていた名刺の裏表が表示される。１１０５、１１０６の矢印を指示すると他のページの名刺（表示エリア６０５に表示されていた名刺）が表示される。画面上で「注文枚数」を入力することができる。「他のページに反映」ボタン１１０４を指示すれば、他のページの名刺の注文枚数も同じように入力される。「カートに追加」ボタン１１０１を指示して（ステップＳ１６）、図１３に示すカート登録中画面が表示され、図１４のカート画面に移行する。カート画面表示とその処理は、基本処理手段２０の機能による。
【００６３】
「一覧表示」ボタン６０５を指示すれば、図１２に示すような一覧表示のプリント注文内容確認画面が表示される。表示エリア１２０１には、画像表示エリア６０２に表示されていた名刺の全てが表示される。この中の任意の名刺を指示して、「ページ毎の表示」ボタン１２０４を指示して図１１の画面のように、当該任意の指示した名刺を表示できる。「カートに追加」ボタン１２０１を指示して（ステップＳ１６）、図１３に示すカート登録中画面が表示され、図１４のカート画面に移行する。
【００６４】
図１４のカート画面において、注文者は注文内容を確認する（ステップＳ１７）。１４０１は注文削除ボタンである。１４０２はサービス名称である。１４０３は商品表示欄である。１４０４は商品情報である。１４０５は注文枚数である。１４０６は個別料金である。「お客様情報入力」ボタン１４０７を指示して、お客様入力画面（不図示）を表示させてお客様情報（名前、電話番号等）を入力する（ステップＳ１８）。「注文確定」ボタン１４０８を指示して、注文を確定し、注文完了画面（不図示）を表示する（ステップＳ１９）。注文者は、注文を全て終了する場合には（ステップＳ２０）、受付証が発行され（ステップＳ２１）、オーダー情報が画像処理装置５に出力される（ステップＳ２２）。注文を終了しない場合には、ステップＳ１に戻り所望のサービスを選択指示する。
【００６５】
以上の体験モードによる注文操作フローは、注文装置１に保存しているサンプル画像データを用いた注文操作である。体験モードであっても注文完了しオーダー情報が出力され、サンプル画像データによる写真プリントが実行可能である。このように注文操作を一通り体験でき、また、実際に体験された注文者に仕上がりサンプル品を提供することで、注文装置による注文操作への関心を高め、注文装置をより効果的に運用できる。
【００６６】
（メディアから画像データを読み込む処理）
以下では、注文者のメディアから画像データを読み込む処理について説明する。注文装置１は、メディアからの画像読み込みタイミングを自由に設定してあり、注文操作中のいつのタイミングでも画像データを読み込むことができる。例えば、上述の図４から図１４までのいずれの操作画面中においても画像データの読み込みが可能である。
【００６７】
図３のフローチャートのステップＳ７において、メディアをメディア駆動部１０に挿入する。挿入された旨の信号を検知部２２１によって検知し、読取制御部２２２がメディアから画像データを読み取る。画像一覧表示部２１１によって、その時点の操作画面から図１５に示すような画像選択画面に画面表示が切り替わるか、または、画像選択画面が前面表示される。そして、表示エリア１５０３に、読み込まれた画像データが表示される（ステップＳ８）。注文者が画像検索を実行する場合（ステップＳ９）、１５０１の絞り込み条件を指示して、「写真の絞り込み」ボタン１５０２を指示し、絞り込み検索し（ステップＳ１０−１）、表示エリア１５０３に表示し、所望の画像データが得られるまで繰り返す（ステップＳ１１、Ｓ１２、Ｓ１３）。表示エリア１５０３の任意の画像１５０３ａを指示すれば、拡大表示エリア１５０４に拡大して表示される。なお、拡大表示エリア１５０４の初期画像は先頭画像である。次いで、「展開」ボタン１５０５を指示して（ステップＳ１０−２）、表示エリア１５０３に表示されている画像データのすべてを、サービス処理手段４０の注文処理に反映させる。例えば、画像表示エリア６０２のサンプル画像データと入れ替わり、名刺表・裏のサンプル画像データの画像と入れ替わる（ステップＳ１４）。「展開」ボタン１５０５の指示によって画像データの入れ替えが実行されると、体験モードは解除され、通常の注文操作へと切り替わる。なお、１５０６を指示すれば、画像選択画面が消え、画像読み込み時の操作画面が表示される。
【００６８】
また、図１５の画面表示に限らず、図１６に示すように、画像選択画面をプリント編集画面の下部に、画像選択画面を同時に表示させるように構成できる。サービスＧＵＩ部４１がプリント編集画面を表示制御し、基本ＧＵＩ部２１の画像一覧表示部２１１が画像選択画面を表示制御する構成である。
【００６９】
（入力された画像データを絞り込む処理）
本実施形態では、上述の通り、メディアＡなどから入力された画像データを絞込み検索部２２３の処理により絞り込み、その絞り込まれた一部の画像データをモニター１２の画面（表示エリア１５０３）に表示させることができる。この絞込み検索部２２３による処理のうち、図１５に示す「ベストショット」の絞り込み条件１５０１が指示された場合の処理は、入力された画像データのそれぞれから抽出される要素に基づいて行われる。
【００７０】
具体的には、入力された画像データのそれぞれから抽出される要素に基づいて、画像判定部２２６により各画像データの判定が行われ、その判定結果に基づいて、絞込み検索部２２３により所定数の画像データに絞り込まれるようになっている。画像判定部２２６による判定は、アルバムプリント、コラージュプリント、シャッフルプリント、名刺プリントなどの各種プリントに使用する画像データとしてより好適な画像データを判定する処理であり、画像データの絵柄の内容又は構図から抽出される要素をピックアップして、画像データの判定（算出処理）を行うことにより実現される処理時間が比較的長い処理である。入力された画像データのそれぞれにおける絵柄の内容又は構図から抽出される要素としては、画像データに含まれる人物画像から抽出される要素を挙げることができるが、このような要素に限らず、例えば背景画像から抽出される要素など、他の各種要素を抽出することができる。
【００７１】
上記人物画像から抽出される要素には、例えば、撮影された人物の顔の大きさに関する要素、撮影された人物の数に関する要素、撮影された人物の笑顔度に関する要素、撮影された人物の年齢に関する要素、撮影された人物の目の開閉に関する要素、撮影された人物の顔の露出に関する要素、撮影された人物に対するピントに関する要素、及び、撮影された人物の画像データ上での構図に関する要素などが含まれる。ただし、上記要素をいずれも抽出するような構成に限らず、上記要素のうち少なくとも１つの要素を抽出するような構成であってもよいし、他の要素を抽出するような構成であってもよい。
【００７２】
図１８は、「ベストショット」の絞り込み条件１５０１が指示された場合の絞込み検索部２２３による処理の一例を示したフローチャートである。
【００７３】
「ベストショット」の絞り込み条件１５０１が指示された場合には、まず、入力された各画像データに含まれる人物画像から顔画像を抽出することにより、当該顔画像を構成している各器官に基づいて各種情報を検出する処理が行われる（ステップＳ１０１）。具体的には、顔の向き、性別、年代、笑顔度及び視線などを推定したり、目や口などの各器官の開閉を検出したりする処理が行われる。これらの処理を実行するためのアルゴリズムは周知であるため、詳細な説明は省略することとする。
【００７４】
その後、必要に応じて顔器官検出（ステップＳ１０１）の結果を利用することにより、画像データにおける絵柄の内容又は構図から抽出される各要素について採点する処理が行われる（ステップＳ１０２〜Ｓ１０９）。このような処理が入力された全ての画像データに対して行われた後（ステップＳ１１０でＹｅｓ）、得点の高い上位所定数（１つ又は複数）の画像データに絞り込まれ（ステップＳ１１１）、その絞り込まれた一部の画像データがモニター１２の画面（表示エリア１５０３）に表示されるようになっている。ただし、上記のように得点の高い上位所定数の画像データに絞り込まれるような構成に限らず、例えば上記採点結果に基づいて、所定の基準点よりも高い画像データに絞り込まれるような構成であってもよい。
【００７５】
顔の大きさ採点（ステップＳ１０２）は、撮影された人物の顔の大きさに関する要素について採点する処理であり、例えば画像データ全体に対する顔画像が占める割合を数値化することにより行われる。画像データ中に複数の人物の顔画像が含まれている場合には、それらの顔画像のうち最も大きい顔画像に基づいて、画像データ全体に対する当該顔画像が占める割合を数値化することにより採点が行われるようになっていてもよい。
【００７６】
人数採点（ステップＳ１０３）は、撮影された人物の数に関する要素について採点する処理であり、例えば画像データに含まれる顔画像の数を計数することにより行われる。なお、顔画像の大きさが所定サイズ以下である場合には人数として計数しないような構成や、顔画像の大きさに応じて加点又は減点するような構成を採用してもよい。
【００７７】
笑顔度採点（ステップＳ１０４）は、撮影された人物の笑顔度に関する要素について採点する処理であり、例えば口の開閉度などに基づいて測定される笑顔度に応じて加点又は減点する処理が行われる。なお、顔画像の大きさが所定サイズ以下である場合や、顔画像の角度が正面に対して所定角度以上傾いている場合などには、減点する又は採点しないような構成を採用してもよい。また、画像データに含まれる顔画像の数に応じて加点又は減点するような構成を採用することも可能である。
【００７８】
年代採点（ステップＳ１０５）は、撮影された人物の年齢に関する要素について採点する処理であり、例えば所定の年代の顔画像が検出された場合に加点又は減点する処理が行われる。なお、顔画像の大きさに応じて加点又は減点するような構成や、顔画像の角度が正面に対して所定角度以上傾いている場合には減点する又は採点しないような構成を採用してもよい。
【００７９】
目開閉採点（ステップＳ１０６）は、撮影された人物の目の開閉に関する要素について採点する処理であり、例えば画像データに含まれる顔画像における目の開閉度に応じて加点又は減点する処理が行われる。なお、顔画像の大きさが所定サイズ以下である場合や、顔画像の角度が正面に対して所定角度以上傾いている場合などには、減点する又は採点しないような構成を採用してもよい。また、画像データ中に複数の人物の顔画像が含まれている場合には、それらの顔画像における目の開閉度を平均化して採点するようになっていてもよい。
【００８０】
顔露出採点（ステップＳ１０７）は、撮影された人物の顔の露出に関する要素について採点する処理であり、例えば画像データに含まれる顔画像における顔全体に対する露出部分（撮影されている部分）の度合に応じて加点又は減点する処理が行われる。画像データ中に複数の人物の顔画像が含まれている場合には、それらの顔画像の露出度を平均化して採点するようになっていてもよい。
【００８１】
ピント採点（ステップＳ１０８）は、撮影された人物に対するピントに関する要素について採点する処理であり、例えば画像データに含まれる顔画像に対するピントの合致度に応じて加点又は減点する処理が行われる。ただし、画像データにおける顔画像に対するピントに限らず、人物画像における顔以外の部分に対するピントや、背景画像などの人物画像以外の部分に対するピントの合致度に応じて加点又は減点する処理を行うような構成であってもよい。
【００８２】
構図採点（ステップＳ１０９）は、撮影された人物の画像データ上での構図に関する要素について採点する処理であり、例えば画像データに含まれる人物画像の当該画像データにおける位置に応じて加点又は減点する処理が行われる。例えば、画像データに含まれる人物画像が当該画像データにおける中心に近いほど配点が高くなるような構成であってもよい。なお、画像データに含まれる人物画像が１つであるか複数であるかによって、異なる態様で採点を行うような構成を採用することも可能である。
【００８３】
本実施形態では、「ベストショット」の絞り込み条件１５０１が指示された場合に、上述のような態様により、入力された画像データの中から一部の画像データを絞り込むことができるが、この絞込み検索部２２３による処理は絞込み開始部２２７により開始される。具体的には、入力された画像データの数又はデータ量が所定の閾値未満の場合にのみ、顧客の操作に基づいて、絞込み検索部２２３による「ベストショット」に対応する処理が開始されるようになっている。上記所定の閾値は、注文装置１のデータ処理能力、特に基本制御部２２のデータ処理能力に依存しており、入力された全ての画像データに対して「ベストショット」に対応する処理を実施する場合の処理時間が、所定の時間内に収まるような値に設定される。以下では、絞込み開始部２２７が絞込み検索部２２３による「ベストショット」に対応する処理を開始させる際の態様について説明する。
【００８４】
図１９は、絞込み開始部２２７が絞込み検索部２２３による「ベストショット」に対応する処理を開始させる際の態様の一例を示したフローチャートである。この例では、メディアＡなどから入力された画像データの数又はデータ量が所定の閾値未満の場合にのみ（ステップＳ２０１でＹｅｓ）、「ベストショット」の絞り込み条件１５０１に対応するキーが画面に表示されるようになっている（ステップＳ２０２）。そして、「ベストショット」の絞り込み条件１５０１に対応するキーが顧客により指示された場合に（ステップＳ２０３でＹｅｓ）、絞込み検索部２２３による「ベストショット」に対応する処理を開始させるようになっている（ステップＳ２０４）。
【００８５】
図２０は、絞込み開始部２２７が絞込み検索部２２３による「ベストショット」に対応する処理を開始させる際の態様の他の例を示したフローチャートである。この例では、メディアＡなどから入力された画像データの数又はデータ量に関わらず、「ベストショット」の絞り込み条件１５０１に対応するキーが画面に表示されるようになっている。そして、「ベストショット」の絞り込み条件１５０１に対応するキーが顧客により指示された場合には（ステップＳ３０１でＹｅｓ）、入力された画像データの数又はデータ量が所定の閾値未満の場合にのみ（ステップＳ３０２でＹｅｓ）、絞込み検索部２２３による「ベストショット」に対応する処理を開始させるようになっている（ステップＳ３０３）。
【００８６】
本実施形態では、入力された画像データの数又はデータ量が所定の閾値未満の場合にのみ、顧客の操作に基づいて、それらの画像データの中から一部の画像データを絞り込む処理が開始される。すなわち、入力された画像データの数又はデータ量が上記所定の閾値以上であり、それらの画像データにおける絵柄の内容又は構図から抽出される要素に基づく判定処理（「ベストショット」に対応する処理）が長くなる場合には、画像データを絞り込む処理が開始されないようになっている。
【００８７】
これにより、画像データを絞り込む処理の処理時間が長くなるのを防止することができるとともに、当該処理が行われた場合には、入力された画像データが自動的に絞り込まれることにより、画像データを１つずつ選択するような構成と比較して、画像データを絞り込む作業を簡略化することができる。
【００８８】
また、本実施形態では、入力された画像データのそれぞれにおける絵柄の内容又は構図から抽出される要素に基づいて、各画像データの判定を行い、その判定結果に基づいて絞り込まれた一部の画像データを用いて、バラエティに富んだ写真プリント注文を行うことができる。特に、撮影された人物画像から抽出される要素に基づいて、入力された画像データの中から一部の画像データを自動的に絞り込むことができるので、撮影された人物画像に着目した写真プリント注文を容易に行うことができる。
【００８９】
（別実施形態１）
上記において、基本処理手段が記憶媒体から画像データを取得する処理を制御する構成であったが、別実施形態として、サービス処理手段または共通ライブラリ手段が記憶媒体読み取り処理を制御実行する構成も可能である。例えば、サービス処理手段が、上述の検知部、読取制御部、絞込み検索部、展開部、画像一覧表示部の機能を備える構成である。
【００９０】
（別実施形態２）
上記の実施形態において、サンプル画像データを用いた注文操作について説明したが、これに限定されず、注文装置はサンプル画像データおよび顧客の画像データを用いずに注文操作を実行するように構成できる。例えば、図１７に示すように、画面上部分にプリント編集画面が表示され、画面下分部に画像選択画面が表示される。破線で示す名刺画像エリア６０１ｄには、サンプル画像データが挿入されていない状態である。この状態においてもプリント編集画面の操作を実行でき、文字エリア６０１ｃに氏名等の文字入力操作や、次のステップの注文操作を実行できる。また、画面下部の画像選択画面の「展開」ボタン１５０５を指示して、メディアＡから画像１５０３ａ（１５０４に拡大表示されている）を読み込み、名刺画像エリア６０１ｄに挿入することができる。また、上述のように絞込み検索で絞り込まれた画像データを画像エリア６０２、名刺画像エリア６０１ｄに読み込むことができる。
【符号の説明】
【００９１】
１      注文装置
１０    メディア駆動部
１２    モニター
１３    タッチパネル
２０    基本処理手段
２１    基本ＧＵＩ部
２１１  画像一覧表示部
２１２  注文一覧表示部
２２    基本制御部
２２１  検知部
２２２  読取制御部
２２３  絞込み検索部
２２４  展開部
２２５  オーダー情報送信部
２２６  画像判定部
２２７  絞込み開始部
３０    共有ライブラリ手段
４０    サービス処理手段
４１    サービスＧＵＩ部
４２    サービス制御部
４２１  体験モード制御部
【図１】
2010231438.tif 000003
【図２】
2010231438.tif 000004
【図３】
2010231438.tif 000005
【図４】
2010231438.tif 000006
【図５】
2010231438.tif 000007
【図６】
2010231438.tif 000008
【図７】
2010231438.tif 000009
【図８】
2010231438.tif 000010
【図９】
2010231438.tif 000011
【図１０】
2010231438.tif 000012
【図１１】
2010231438.tif 000013
【図１２】
2010231438.tif 000014
【図１３】
2010231438.tif 000015
【図１４】
2010231438.tif 000016
【図１５】
2010231438.tif 000017
【図１６】
2010231438.tif 000018
【図１７】
2010231438.tif 000019
【図１８】
2010231438.tif 000020
【図１９】
2010231438.tif 000021
【図２０】
2010231438.tif 000022